(57)【要約】【課題】生ゴミと共に投入される水分と分解によって発生する水分で過剰となっていく水分でも、換気と強制除湿の併用で効率的に除湿して土壌菌の分解作用を高度に維持させて生ゴミの連続した分解処理が可能となり、また経済的に使用することができるる生ゴミ処理機を提供する。【解決手段】好気性土壌菌を活用して生ゴミを処理する生ゴミ処理機において、生ゴミ攪拌用の羽根４が設けられた攪拌室２と、前記攪拌室２に新鮮空気を供給すると共に攪拌室温度の管理を行なう温風機６と、前記攪拌室内を除湿する除湿装置８と、前記攪拌室２から回収した空気をエアレーションして脱臭し外部排気する脱臭槽７とを備え、前記除湿装置８が脱臭槽７と連通されると共に該脱臭槽７との間で脱臭用液体を循環させる液体ポンプ９を備えている。【選択図】        図１
2004358302.tif 000002
【特許請求の範囲】
【請求項１】
好気性土壌菌を活用して生ゴミを処理する生ゴミ処理機において、
生ゴミ攪拌用の羽根が設けられた攪拌室と、前記攪拌室に新鮮空気を供給すると共に攪拌室温度の管理を行なう温風機と、前記攪拌室内を除湿する除湿装置と、前記攪拌室から回収した空気をエアレーションして脱臭し外部排気する脱臭槽とを備えたことを特徴とする生ゴミ処理機。
【請求項２】
除湿装置が脱臭槽と連通されると共に該脱臭槽との間で脱臭用液体を循環させる液体ポンプを備えていることを特徴とする請求項１に記載の生ゴミ処理機。
【請求項３】
攪拌用の羽根が軸を平行にして複数本水平配置されると共にそれぞれ専用の駆動機を備えていることを特徴とする請求項１または請求項２に記載の生ゴミ処理機。
【請求項４】
前記除湿装置として、攪拌室上方の壁面を伝って流下する水滴を捕捉して排出する構成を採用したことを特徴とする請求項１に記載の生ゴミ処理機。
【発明の詳細な説明】
【０００１】
【発明の属する技術分野】
本発明は、好気性土壌菌を活用して生ゴミを分解処理する生ゴミ処理機に関する。
【０００２】
【従来の技術】
従来の攪拌室に投入した生ゴミを攪拌しながら土壌菌で処理するようにした生ゴミ処理機においては、換気し攪拌を繰り返すことによって分解、あるいは肥料化するものがある。
【０００３】
【発明が解決しようとする課題】
生ごみは人の居る所、毎日発生するからこれを残存させないよう処理していく必要がある。その処理方法の内、土壌菌を活用する方法では生ゴミを分解、あるいは肥料化することが可能である。
しかしながら、この土壌菌を活用する場合、換気された処理室で生ゴミを攪拌することは好気性土壌菌の活動を盛んにして処理効率を上げる目的に叶っているのであるが、生ゴミを分解して発生する炭酸ガスと水蒸気は排出容易となるも生ゴミに付着する水分までを滞りなく排出していくのは困難であり、このため徐々に土壌菌の活躍が鈍って分解に時間が掛かったり、処理不能になってしまう場合があるという問題があった。このため、数か月毎の土壌菌担持材の交換などを要する様になり、ランニングコストが高くなる。
また、肥料化するにしても引き取り手がなくその処理に困る場合があるという問題もある。
【０００４】
本発明はかかる従来の問題点を解決するためになされたものであり、その目的とするところは、生ゴミと共に投入される水分と分解によって発生する水分で過剰となっていく水分でも、換気と強制除湿の併用で効率的に除湿して土壌菌の分解作用を高度に維持させて生ゴミの連続した分解処理が可能となり、また経済的に使用することができる生ゴミ処理機を提供することにある。
【０００５】
【課題を解決するための手段】
上記課題を解決するために、本発明請求項１記載の生ゴミ処理機では、好気性土壌菌を活用して生ゴミを処理する生ゴミ処理機において、生ゴミ攪拌用の羽根が設けられた攪拌室と、前記攪拌室に新鮮空気を供給すると共に攪拌室温度の管理を行なう温風機と、前記攪拌室内を除湿する除湿装置と、前記攪拌室から回収した空気をエアレーションして脱臭し外部排気する脱臭槽とを備えたことを特徴とする。
【０００６】
請求項２記載の生ゴミ処理機では、請求項１に記載の生ゴミ処理機において、除湿装置が脱臭槽と連通されると共に該脱臭槽との間で脱臭用液体を循環させる液体ポンプを備えていることを特徴とする。
【０００７】
請求項３記載の生ゴミ処理機では、請求項１または請求項２に記載の生ゴミ処理機において、攪拌用の羽根が軸を平行にして複数本水平配置されると共にそれぞれ専用の駆動機を備えていることを特徴とする。
【０００８】
請求項４記載の生ゴミ処理機では、請求項１に記載の生ゴミ処理機において、前記除湿装置として、攪拌室上方の壁面を伝って流下する水滴を捕捉して排出する構成を採用したことを特徴とする。
【０００９】
【発明の作用および効果】
本発明請求項１に記載の生ゴミ処理機では、攪拌室では攪拌羽根が生ゴミを攪拌し、温風機から攪拌室内に新鮮空気の温風が供給される。この供給された温風が生ゴミに巻き込まれることによって生ゴミやその隙間の温度上昇と生ゴミ内の好気性土壌菌への酸素供給が連続して十分に行なわれることになる。前記温風は攪拌室が適温となるように管理される。
好気性土壌菌は上記管理された雰囲気を得て、生ゴミを炭酸ガスと水に活発に分解していく。また、前記攪拌室から回収した空気は脱臭槽でエアレーションすることにより、臭気などを除去され外部に排出される。
【００１０】
以上説明してきたように、本発明請求項１に記載の生ゴミ処理機にあっては、生ゴミと共に投入される水分や分解によって順次発生する水分で過剰となっていく水分でも、温風機から攪拌室に供給した温風を回収して脱臭槽から外部排気させる換気と除湿装置による強制除湿の併用で効率的に水分除去を行ない、それに温風機による攪拌室の温度管理が相乗して土壌菌の分解作用を高度に維持させ、生ゴミを連続して効率的に分解処理することができるという効果が得られる。
【００１１】
請求項２に記載の生ゴミ処理機では、除湿装置が液体ポンプを介し脱臭槽と連通されており、脱臭用液体が冷媒として使用される。攪拌室で除湿装置に接する空気は温風機から供給された温風であり、脱臭槽から循環する液体はエアレーション後に外部排気される空気によって熱を奪われ温度低下した液体で明らかに温度差が生じることから、除湿装置は攪拌室内を連続的に除湿可能となる。
従って請求項２に記載の生ゴミ処理機にあっては、フロンガスの圧縮機や蒸発器などが不要となり、除湿装置を経済的に、かつ軽量に設けることができるなどの効果が得られる。
【００１２】
請求項３に記載の生ゴミ処理機では、複数本平行の攪拌羽根はそれぞれ専用の駆動機を備えているから、羽根同士が生ゴミを上から噛み込む方向、あるいは下から噛み込む方向、または同一方向、一方を停止し他方を正または逆転、一方を間欠回転などを行なって、生ゴミを様々な形態に攪拌することができる。
従って請求項３に記載の生ゴミ処理機にあっては、生ゴミの種類や特性などによって最適な形態の攪拌を行なって生ゴミの分解処理を効率的に行なうことができるという効果が得られる。
【００１３】
請求項４記載の生ゴミ処理機では、装置の稼動と共に、外気との気温差により攪拌室上方に水滴が付着し、それらの水滴が壁面を伝って流下するので、それらを捕捉して効率良く排出することができる。
【００１４】
【発明の実施の形態】
本発明の生ゴミ処理機の実施の形態を図面に基づいて詳細に説明する。
図１は本実施の形態の生ゴミ処理機の攪拌室側側面を一部切欠して示す断面図、図２は同平面側を示す断面図、図３は同正面側を示す断面図、図４は図３のＡ−Ａ線における断面図、図５脱臭槽側を示す側面図であり、まずその構成から説明する。
図中１はキャスターで移動自在とした機枠であり、該機枠１の一端側に攪拌室２が配置され他端側には脱臭槽７が配置されている。図中１１は攪拌室２の上方空間部、１２はこの上方空間部１１に密閉蓋３で開閉自在に連通する投入口である。
４は攪拌羽根であり、軸１３に突設された十字状アーム１４の先端を介し一対のリボン状羽根１５が螺旋状に、かつ周期を１８０度違えるように設けられており、攪拌室２の下面側に１対、２軸を水平にして平行配置されている。そして、攪拌室２の下面２ａは攪拌羽根４の外径に沿って湾曲形成されており、攪拌室壁部１６と機枠側壁部１７との間には加熱室１８が形成され、該加熱室１８の上端部において攪拌室２の内部と連通する通路１９が開設されている。
尚、この攪拌羽根４の軸は２軸以上の複数本を採用することも可能である。
【００１５】
また、５，５は電動モータと減速比の大きな減速機からなる駆動機であり、攪拌羽根４，４にそれぞれ単独にカップリングで連結されている。この駆動機５，５は制御部２０で夫々独立して速度制御及び回転方向の制御がなされるようになっている。本実施の形態では１分間に１〜１０回転する程度に制御するようになっている。
６は温風機であり、ダクト２１で加熱室１８に連通されている。この温風機６は制御部２０で加熱室１８、攪拌室２の温度を３５〜７０℃に温度制御されるようになっている。２２ａは外気（新鮮空気）の導入口、２２ｂは加熱室１８におけるダクト２１の開口部である。
【００１６】
７は脱臭用液を貯留した脱臭槽であり、内部にエアレーション用のノズル２３が配設されている。８は熱伝導の良いパイプで形成され攪拌室２の上方空間部１１に配置された除湿装置であり、液体ポンプ９を介し前記脱臭槽７との間で循環回路が形成されている。２４はその脱臭槽側の循環回路連通口である。また、２５は除湿装置８のドレーンパンであり、脱臭槽７の上部開口部２６に連通されている。ドレーンパン２５に溜まった液体は脱臭槽７の上部開口部２６から蒸発乾燥されるか、別途水路を経由して外に排出される。
同一の目的で外気より冷却された攪拌室２の上部ステンレス板の内側に発生した露は一旦、樋１９に溜まり樋１９を伝って、１ヶ所以上の孔を通じて外に排出される。これは、攪拌室２上方の壁面を伝って流下する水滴を捕捉して排出する構成を採用したものである。
２７は上方空間部１１に開口する換気用の吸引筒であって脱臭槽７のエアレーション用ノズル２３に連通されている。２８はその吸引用ポンプ、２９は脱臭槽７の浄化空気の排気口である。
尚、図示しないが、攪拌室２には、好気性土壌菌を木材チップに担持させて形成した母材が投入されている。
【００１７】
次に本実施の形態の作用を説明する。
本実施の形態の生ゴミ処理機では、先ず、駆動機５，５により、攪拌羽根４，４はそれぞれ投入口１２から投入された生ゴミを母材と共に例えば１分間に１回転程度に攪拌する。この時、生ゴミの特性により、羽根同士が生ゴミを上から噛み込む方向、あるいは下から噛み込む方向、または同一方向、一方を停止し他方を正または逆転、一方を間欠回転など、様々な形態に攪拌することができる。
この攪拌時においては、各々の軸の攪拌羽根の噛み合わせによる破砕、もしくは、槽と攪拌羽根の噛み込みによる破砕も同時に行なわれる。
また、温風機６は外気を高温に加熱した新鮮な温風を開口部２２ｂから加熱室１８に供給する。この温風は加熱室１８を充満した後、通路１９を介して攪拌室２や上方空間部１１に供給される。従って攪拌室２の生ゴミは攪拌室内外から加熱され例えば６０℃に維持されると共に、その温風を攪拌羽根４によって内部に巻き込むことになる。
土壌菌は生ゴミと共に加熱されて分解作用を活発に行ない生ゴミを炭酸ガスと水に分解していくが、この水分や投入時に生ゴミに付着していた水分などが蒸発することにより上方空間部１１の湿度が高くなる。また、この上方空間部の空気は生ゴミの臭気と分解時に発生した炭酸ガス量が多量に含まれた状態となる。
【００１８】
この生ゴミの分解中には吸引用ポンプ２８と液体ポンプ９も同時駆動されており、吸引用ポンプ２８は、吸引筒２７を介して前記生ゴミの臭気と炭酸ガス量が多量に含まれた空気を回収し脱臭槽７のノズル２３でエアレーションさせ、浄化空気にして排気口２９から外部に排出させる。この時、脱臭用液体は脱臭槽７の外壁からの放熱以外に排出空気からも温度を奪われることになる。
また、前記液体ポンプ９は、脱臭槽７内の脱臭用液を除湿装置８に循環させる。除湿装置８は、この脱臭用液の温度が上方空間部１１の加熱された空気温度より低いことから、パイプに接触した上方空間部の空気中の水分を結露させ、ドレーンパン２５により集めて上部開口部２６から脱臭槽７内に廃棄する。
このため、攪拌室２内の水分は過剰とならず、土壌菌による分解作用を良好に維持させることができる。
【００１９】
以上、説明してきたように、本実施の形態の生ゴミ処理機では、攪拌作用、加熱作用、分解作用に加え、強制除湿作用が重複して繰り返し行なわれることにより、生ゴミと共に投入される水分や分解によって順次発生する水分で過剰となっていく水分でも効率的に除去を行なうことにより、土壌菌の分解作用を高度に維持させ、生ゴミを連続して効率的に分解処理することができる。
連続運転により母材が乾燥し土壌菌の活性化が図れるため、母材は年１回程度追加補充することで継続できる様になり、経済的に使用することができる。
また、除湿装置８が脱臭槽７と連通されると共に該脱臭槽７との間で脱臭用液体を循環させる液体ポンプ９を備えているため、フロンガスの圧縮機や蒸発器などが不要となり、除湿装置を経済的に、かつ軽量に設けることができる。
また、攪拌羽根４が軸を平行にして複数本（２式）水平配置されると共にそれぞれ専用の駆動機５を備えているため、生ゴミの種類や特性などによって最適な形態の攪拌あるいは破砕を行なって生ゴミの分解処理を効率的に行なうことができるなどの効果が得られる。
【００２０】
以上、本発明の実施の形態を図面により説明したが、具体的な構成は前記実施の形態に限定されるものではなく、発明の要旨を逸脱しない範囲の設計変更などがあっても本発明に含まれる。
例えば、除湿装置に循環させる液体は別に冷却専用の水タンクを設けておくこともできる。
駆動機５は１台で２軸の攪拌羽根４，４を駆動するタンデム型としてもよい。
【図面の簡単な説明】
【図１】本発明実施の形態の生ゴミ処理機の攪拌室側側面を一部切欠して示す断面図である。
【図２】実施の形態の生ゴミ処理機の平面側を示す断面図である。
【図３】実施の形態の生ゴミ処理機の正面側を示す断面図である。
【図４】図３のＡ−Ａ線における断面図である。
【図５】実施の形態の生ゴミ処理機の脱臭槽側を示す側面図である。
【符号の説明】
２  攪拌室
４  攪拌羽根
５  駆動機
６  温風機
８  除湿装置
９  液体ポンプ
１３  攪拌羽根の軸
１８  加熱室（加熱）
２３  エアレーション用のノズル
【図１】
2004358302.tif 000003
【図２】
2004358302.tif 000004
【図３】
2004358302.tif 000005
【図４】
2004358302.tif 000006
【図５】
2004358302.tif 000007